【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
移動局において、
前記移動局内にプロビジョニングされた測位エンジンを認証するためにロケーションサーバと１つまたは複数のメッセージを交換することと、ここにおいて、前記測位エンジンは、前記移動局の測位をサポートすることに専用のものである前記移動局の構成要素である、
前記測位エンジンの認証に基づいて、保護された測位支援データ（ＰＰＡＤ）を受信することと、ここにおいて、前記ＰＰＡＤは、
（ｉ）ＰＰＡＤをセキュアな形に保ち、アプリケーションおよび／またはユーザにＰＰＡＤを提供したり、ＰＰＡＤにアクセス可能にしたりしないこと、
（ｉｉ）前記ＰＰＡＤを使用して近くのアクセスポイントロケーションによって近似されたＵＥロケーションの形態でアプリケーションにＰＰＡＤを間接的に提供しないこと、
（ｉｉｉ）アプリケーションおよび／またはユーザがそれにアクセスすることができないように、セキュアなメモリ中にＰＰＡＤを保つこと、
（ｉｖ）前記移動局がベニューを離れた後、一部または全部のＰＰＡＤを破棄すること、または、
（ｖ）それらの何らかの組合せ、
によって保護される、
前記認証された測位エンジンに前記ＰＰＡＤを与えることと
を備える方法。
【請求項２】
前記１つまたは複数のメッセージのうちの少なくとも１つが、前記測位エンジンのプロバイダを認証することに、少なくとも部分的に、よって前記測位エンジンを認証するように構成され、ここにおいて、前記プロバイダは、前記測位エンジンのメーカーである、請求項１に記載の方法。
【請求項３】
移動局において使用するための装置であって、
前記移動局内にプロビジョニングされた測位エンジンを認証するためにロケーションサーバと１つまたは複数のメッセージを交換するための手段と、ここにおいて、前記測位エンジンは、前記移動局の測位をサポートすることに専用のものである前記移動局の構成要素である、
前記測位エンジンの認証に基づいて、保護された測位支援（ＰＰＡＤ）データを受信するための手段と、ここにおいて、前記ＰＰＡＤは、
（ｉ）ＰＰＡＤをセキュアな形に保ち、アプリケーションおよび／またはユーザにＰＰＡＤを提供したり、ＰＰＡＤにアクセス可能にしたりしないこと、
（ｉｉ）前記ＰＰＡＤを使用して近くのアクセスポイントロケーションによって近似されたＵＥロケーションの形態でアプリケーションにＰＰＡＤを間接的に提供しないこと、
（ｉｉｉ）アプリケーションおよび／またはユーザがそれにアクセスすることができないように、セキュアなメモリ中にＰＰＡＤを保つこと、
（ｉｖ）前記移動局がベニューを離れた後、一部または全部のＰＰＡＤを破棄すること、または、
（ｖ）それらの何らかの組合せ、
によって保護される、
前記認証された測位エンジンに前記保護された測位支援データを与えるための手段と
を備える装置。
【請求項４】
ロケーションサーバにおいて、
移動局内にプロビジョニングされた測位エンジンを認証するために前記移動局と１つまたは複数のメッセージを交換することと、ここにおいて、前記測位エンジンは、前記移動局の測位をサポートすることに専用のものである前記移動局の構成要素である、
前記測位エンジンの認証に基づいて、前記移動局が前記測位エンジンのために保護された測位支援データ（ＰＰＡＤ）を取得することを可能にすることと、ここにおいて、前記ＰＰＡＤは、
（ｉ）ＰＰＡＤをセキュアな形に保ち、アプリケーションおよび／またはユーザにＰＰＡＤを提供したり、ＰＰＡＤにアクセス可能にしたりしないこと、
（ｉｉ）前記ＰＰＡＤを使用して近くのアクセスポイントロケーションによって近似されたＵＥロケーションの形態でアプリケーションにＰＰＡＤを間接的に提供しないこと、
（ｉｉｉ）アプリケーションおよび／またはユーザがそれにアクセスすることができないように、セキュアなメモリ中にＰＰＡＤを保つこと、
（ｉｖ）前記移動局がベニューを離れた後、一部または全部のＰＰＡＤを破棄すること、または、
（ｖ）それらの何らかの組合せ、
によって保護される、
を備える方法。
【請求項５】
前記１つまたは複数のメッセージのうちの少なくとも１つが、前記測位エンジンのプロバイダを認証することを行うように構成されることに、少なくとも部分的に、よって前記測位エンジンを認証するように構成され、ここにおいて、前記プロバイダは、前記測位エンジンのメーカーである、請求項４に記載の方法。
【請求項６】
前記保護された測位支援データが、非モバイル送信デバイスのロケーションを示し、
前記非モバイル送信デバイスが、ワイヤレスワイドエリアネットワーク（ＷＷＡＮ）アクセスポイント（ＡＰ）、ワイヤレスローカルエリアネットワーク（ＷＬＡＮ）ＡＰ、ワイヤレスパーソナルエリアネットワーク（ＷＰＡＮ）ＡＰ、ＷｉＦｉ  ＡＰ、ＢｌｕｅＴｏｏｔｈ  ＡＰ、またはフェムトセルのうちの少なくとも１つを備える、請求項１または請求項４に記載の方法。
【請求項７】
前記保護された測位支援データが、複数の異なる信用レベルから選択される信用レベルに対応し、ここにおいて、異なる信用レベルは、前記保護された測位支援データ内の異なるタイプのデータに対応し、信用の前記レベルは、特定の測位エンジンによって受信されるべき前記保護された測位支援データを決定する、請求項１または請求項４に記載の方法。
【請求項８】
ロケーションサーバにおいて使用するための装置であって、
移動局内にプロビジョニングされた測位エンジンを認証するために前記移動局と１つまたは複数のメッセージを交換するための手段と、ここにおいて、前記測位エンジンは、前記移動局の測位をサポートすることに専用のものである前記移動局の構成要素である、
前記測位エンジンの認証に基づいて、前記移動局が前記測位エンジンのために保護された測位支援データ（ＰＰＡＤ）を取得することを可能にするための手段と、ここにおいて、前記ＰＰＡＤは、
（ｉ）ＰＰＡＤをセキュアな形に保ち、アプリケーションおよび／またはユーザにＰＰＡＤを提供したり、ＰＰＡＤにアクセス可能にしたりしないこと、
（ｉｉ）前記ＰＰＡＤを使用して近くのアクセスポイントロケーションによって近似されたＵＥロケーションの形態でアプリケーションにＰＰＡＤを間接的に提供しないこと、
（ｉｉｉ）アプリケーションおよび／またはユーザがそれにアクセスすることができないように、セキュアなメモリ中にＰＰＡＤを保つこと、
（ｉｖ）前記移動局がベニューを離れた後、一部または全部のＰＰＡＤを破棄すること、または、
（ｖ）それらの何らかの組合せ、
によって保護される、
を備える装置。
【請求項９】
ロケーションサーバと１つまたは複数のメッセージを交換することは、前記ロケーションサーバのプロバイダと前記移動局内にプロビジョニングされた測位エンジンのプロバイダとの間の関係を認証することをさらに備え、ここで、前記ロケーションサーバの前記プロバイダと前記測位エンジンの前記プロバイダとの間の関係を認証することは、前記ロケーションサーバの前記プロバイダと前記測位エンジンの前記プロバイダとの間に、保護された測位関連情報の交換を可能にする取引関係が存在することを検証することを備え、測位エンジンの前記プロバイダは、前記移動局の前記プロバイダとは異なり、プロバイダは、前記測位エンジンおよび前記ロケーションサーバのメーカーである、
請求項１に記載の方法。
【請求項１０】
ロケーションサーバと１つまたは複数のメッセージを交換するための前記手段はさらに、前記ロケーションサーバのプロバイダと前記移動局内にプロビジョニングされた測位エンジンのプロバイダとの間の関係を認証し、ここで、前記ロケーションサーバの前記プロバイダと前記測位エンジンの前記プロバイダとの間の関係を認証することは、前記ロケーションサーバの前記プロバイダと前記測位エンジンの前記プロバイダとの間に、保護された測位関連情報の交換を可能にする取引関係が存在することを検証することを備え、測位エンジンの前記プロバイダは、前記移動局の前記プロバイダとは異なり、プロバイダは、前記測位エンジンおよび前記ロケーションサーバのメーカーである、
請求項３に記載の装置。
【請求項１１】
移動局と１つまたは複数のメッセージを交換することは、前記ロケーションサーバのプロバイダと前記移動局内にプロビジョニングされた測位エンジンのプロバイダとの間の関係を認証することをさらに備え、ここで、前記ロケーションサーバの前記プロバイダと前記測位エンジンの前記プロバイダとの間の関係を認証することは、前記ロケーションサーバの前記プロバイダと前記測位エンジンの前記プロバイダとの間に、保護された測位関連情報の交換を可能にする取引関係が存在することを検証することを備え、測位エンジンの前記プロバイダは、前記移動局の前記プロバイダとは異なり、プロバイダは、前記測位エンジンおよび前記ロケーションサーバのメーカーである、
請求項４に記載の方法。
【請求項１２】
前記１つまたは複数のメッセージのうちの少なくとも１つが、前記測位エンジンの前記プロバイダの識別情報、前記ロケーションサーバの前記プロバイダの識別情報、またはそれらの組合せを認証するように構成された、請求項９または請求項１１に記載の方法。
【請求項１３】
前記１つまたは複数のメッセージのうちの少なくとも１つが、認証要求、認証応答、または信用関係のうちの少なくとも１つを示す、請求項１、請求項４、請求項９または請求項１１に記載の方法。
【請求項１４】
移動局と１つまたは複数のメッセージを交換するための前記手段はさらに、前記ロケーションサーバのプロバイダと前記移動局内にプロビジョニングされた測位エンジンのプロバイダとの間の関係を認証し、ここで、前記ロケーションサーバの前記プロバイダと前記測位エンジンの前記プロバイダとの間の関係を認証することは、前記ロケーションサーバの前記プロバイダと前記測位エンジンの前記プロバイダとの間に、保護された測位関連情報の交換を可能にする取引関係が存在することを検証することを備え、測位エンジンの前記プロバイダは、前記移動局の前記プロバイダとは異なり、プロバイダは、前記測位エンジンおよび前記ロケーションサーバのメーカーである、
請求項８に記載の装置。
【請求項１５】
請求項１、請求項２、請求項４から請求項７、請求項９または請求項１１から請求項１３のうちのいずれかに記載の方法を実行するためのコードを備える、処理ユニットによって実行可能なコンピュータ実装可能命令を記憶した非一時的コンピュータ可読媒体
を備える物品。